(57)【要約】【課題】螺合される軸等に対する位置調節及びロック状態とロック解除状態との切り換えが容易なロックナット、このロックナットを備えた工作機械およびロックナット用工具を提供すること。【解決手段】軸線方向に対向する２つのナット（１１０、１２０）からなり、両ナット（１１０、１２０）を軸線方向に互いに付勢する付勢手段（１４０）を両ナット（１１０、１２０）の間に介設し、両ナット（１１０、１２０）を、付勢手段（１４０）による弾力的な軸線方向への移動を許容し、且つ、相対的な回動を規制して一体的に連結したロックナット１００、このロックナット１００を備えた工作機械およびロックナット用工具Ｔ。【選択図】図２
2017026069.tif 000002
【特許請求の範囲】
【請求項１】
軸線方向に対向する２つのナットからなり、該両ナットを軸線方向に互いに付勢する付勢手段を両ナットの間に介設したロックナットであって、
前記両ナットを、前記付勢手段による弾力的な軸線方向への移動を許容し、且つ、相対的な回動を規制して一体的に連結したロックナット。
【請求項２】
前記付勢手段が、前記両ナットを相対的に接近させる方向へ付勢するように設けられた請求項１に記載のロックナット。
【請求項３】
一方のナットに固定して設けた杆状部材に、他方のナットを挿通して両ナットを連結し、
前記杆状部材の前記挿通されたナット側にストッパを設け、前記付勢手段が圧縮バネからなり、該圧縮バネを前記挿通されたナットと前記ストッパとの間に設けた請求項２に記載のロックナット。
【請求項４】
請求項１乃至請求項３のいずれか１つに記載のロックナットが主軸に螺合され、前記付勢手段によって前記ロックナットと前記主軸のネジ部とが軸線方向で互いに押圧されるように装着されたことを特徴とする工作機械。
【請求項５】
請求項１乃至請求項３のいずれか１つに記載のロックナットに係合する係合部を有し、
前記係合部が、前記ロックナットとの係合によって、前記付勢手段の付勢力に抗して両ナットを軸線方向に相対的に移動させる構成であるロックナット用工具。
【請求項６】
前記係合部が、前記両ナットの周面に互いに対向するように形成された係合溝に嵌る突起形状を有し、該突起形状が、前記両ナットの反付勢方向への移動によって係合溝に嵌るサイズに形成された請求項５のロックナット用工具。
【発明の詳細な説明】
【技術分野】
【０００１】
本発明は、自由な位置でネジ部材に固定可能なロックナット、このロックナットを備えた工作機械およびロックナット用工具に関する。
【背景技術】
【０００２】
従来、軸線方向に対向する２つのナットからなり、該両ナットを軸線方向に互いに付勢する付勢手段を両ナットの間に介設したロックナットが知られている（例えば、特許文献１参照）。
また、ナットの外周部からねじ部と直交方向へ略中心部まで溝を形成し、かつ溝で分割された一方の分割部にねじ穴を設け、そのねじ穴に小ねじをねじ込んで構成したゆるみ止め付ナットが知られている（例えば、特許文献２参照）。
さらに、ナットの一部を切断し、これに鋼球を圧入して切断口を拡大し、その拡大状態においてボルトねじに容易にねじ込みできるねじを削成し、ねじ込み後に鋼球を外してナットの張力によりボルトねじを抱き締め緊縛して戻り止め作用をするロックナットの固定装置が知られている（例えば、特許文献３参照）。
【先行技術文献】
【特許文献】
【０００３】
【特許文献１】実公昭３５−１７５３２号公報（図１および図２参照）
【特許文献２】実開昭５５−２８１５１号公報（図１および図２参照）
【特許文献３】特開昭４８−２２８５３号公報（図１および図２参照）
【発明の概要】
【発明が解決しようとする課題】
【０００４】
しかしながら、特許文献１のロックナットは、二つのうち一方のナットが他方に対して回動自在な構造であったため、ロックナット自体の位置調節が容易ではないという問題がある。
また、特許文献２及び特許文献３のロックナットは、ロック及びロック解除の作業が煩わしく、ロック状態とロック解除状態との切り換えが容易ではないという問題がある。
【０００５】
そこで、本発明は、前述したような従来技術の問題を解決するものであって、すなわち、本発明の目的は、螺合される軸等に対する位置調節及びロック状態とロック解除状態との切り換えが容易なロックナット、このロックナットを備えた工作機械およびロックナット用工具を提供することである。
【課題を解決するための手段】
【０００６】
本請求項１に係る発明は、軸線方向に対向する２つのナットからなり、該両ナットを軸線方向に互いに付勢する付勢手段を両ナットの間に介設したロックナットであって、前記両ナットを、前記付勢手段による弾力的な軸線方向への移動を許容し、且つ、相対的な回動を規制して一体的に連結したことにより、前述した課題を解決するものである。
【０００７】
本請求項２に係る発明は、請求項１に記載されたロックナットの構成に加えて、前記付勢手段が、前記両ナットを相対的に接近させる方向へ付勢するように設けられたことにより、前述した課題をさらに解決するものである。
【０００８】
本請求項３に係る発明は、請求項２に記載されたロックナットの構成に加えて、一方のナットに固定して設けた杆状部材に、他方のナットを挿通して両ナットを連結し、前記杆状部材の前記挿通されたナット側にストッパを設け、前記付勢手段が圧縮バネからなり、該圧縮バネを前記挿通されたナットと前記ストッパとの間に設けたことにより、前述した課題をさらに解決するものである。
【０００９】
本請求項４に係る発明は、請求項１乃至請求項３のいずれか１つに記載のロックナットが主軸に螺合され、前記付勢手段によって前記ロックナットと前記主軸のネジ部とが軸線方向で互いに押圧されるように装着されたことにより、前述した課題をさらに解決するものである。
【００１０】
本請求項５に係る発明は、請求項１乃至請求項３のいずれか１つに記載のロックナットに係合する係合部を有し、前記係合部が、前記ロックナットとの係合によって、前記付勢手段の付勢力に抗して両ナットを軸線方向に相対的に移動させる構成であることにより、前述した課題をさらに解決するものである。
【００１１】
本請求項６に係る発明は、請求項５に記載されたロックナット用工具の構成に加えて、前記係合部が、前記両ナットの周面に互いに対向するように形成された係合溝に嵌る突起形状を有し、該突起形状が、前記両ナットの反付勢方向への移動によって係合溝に嵌るサイズに形成されたことにより、前述した課題をさらに解決するものである。
【発明の効果】
【００１２】
本請求項１に係る発明のロックナットによれば、付勢手段による付勢力によって、一方のナットがボルトの軸線方向一方側に面した一方側フランク面に押圧されるとともに、他方のナットがボルトの軸線方向他方側に面した他方側フランク面に押圧され、ボルトの外周で簡単に固定することができる。
さらに、付勢手段の付勢力に抗して、一方のナットと他方のナットとの間の距離を変えることによって、くさび効果が解除されてロック解除状態となり、容易にボルトの外周で回動自在になり、ボルト上での位置調整等を行うことができる。
【００１３】
本請求項２に係る発明のロックナットによれば、請求項１に係る発明が奏する効果に加えて、一方のナットが外力を受けた場合であっても、一方のナットが当接するボルトのフランク面は変わらずくさび効果が生じたままであるため、両ナットの位置を保持することができる。
【００１４】
なお本請求項３に係る発明のロックナットとすることによって、容易に前記両ナットを相対的に接近させる方向へ付勢する構成とすることができる。
【００１５】
本請求項４に係る発明の工作機械によれば、簡単な作業で迅速にロックナットを主軸の外周において固定、解除することができる。
【００１６】
本請求項５に係る発明のロックナット用工具によれば、係合部が両ナットと係合すると、くさび効果が解除されてロック解除状態となるため、容易に両ナットをボルトの外周で回動させることができる。
さらに、係合部を両ナットから離間させると再びくさび効果が生じてロック状態となるため、両ナットをボルトの外周で固定することができる。
【００１７】
本請求項６に係る発明のロックナット用工具によれば、請求項５に係る発明が奏する効果に加えて、係合部が両ナットと係合した状態でロックナット用工具を回動させると両ナットも回動するため、容易に両ナットの位置を調整することができる。
【図面の簡単な説明】
【００１８】
【図１】本発明の第１実施例のコレットチャックを備えた工作機械の主軸およびロックナットを示す概略断面図。
【図２】本発明の第１実施例のロックナットおよびロックナット用工具を示す概略斜視図。
【図３】（Ａ）は図１に示す符号３Ａの箇所の拡大側断面図であり、（Ｂ）は（Ａ）に示す符号３Ｂで視た背面図。
【図４】（Ａ）は図３（Ａ）に示す符号４Ａの箇所の拡大側断面図であり、（Ｂ）はロックナット用工具をロックナットと係合させたときの動作図。
【図５】本発明の第２実施例のロックナットおよびロックナット用工具を示す概略斜視図。
【図６】（Ａ）はロックナットの拡大側断面図であり、（Ｂ）は（Ａ）に示す符号６Ｂで視た背面図。
【図７】（Ａ）は図６（Ａ）に示す符号７Ａの箇所の拡大側断面図であり、（Ｂ）はロックナット用工具をロックナットと係合させたときの動作図。
【発明を実施するための形態】
【００１９】
本発明は、軸線方向に対向する２つのナットからなり、この両ナットを軸線方向に互いに付勢する付勢手段を両ナットの間に介設したロックナットであって、両ナットを、付勢手段による弾力的な軸線方向への移動を許容し、且つ、相対的な回動を規制して一体的に連結したことにより、ボルト等に容易に螺合させ、所定の螺合位置で両ナットを付勢手段によって付勢することで、簡単に両ナットを固定できるものであれば、その具体的な実施態様は、如何なるものであっても構わない。
【実施例１】
【００２０】
図１は、本発明のロックナット１００が螺合装着された工作機械の主軸Ｓの要部断面図であり、主軸ＳにコレットチャックＣＫが開閉自在に装着され、主軸Ｓは、コレットチャックＣＫによって着脱自在にワークを把持する。
主軸Ｓにおける主軸チャック開閉機構１０は、主軸外方に設けられたアクチュエータによって主軸の軸方向に移動可能な作動カム１１と、レバーホルダ１２に揺動可能に支持された一対のレバー１３とを有している。
上記レバーホルダ１２は、ロックナット１００によって、位置決めされる。
【００２１】
作動カム１１は、アクチュエータによってコレットチャックＣＫから離れる方向に移動すると主軸Ｓとレバー１３との間に挿入され、レバー１３の各々が揺動して開き、第１スリーブ１５ａをコレットチャックＣＫの方向に押し、それにより第１スリーブ１５ａに当接する第２スリーブ１５ｂ、さらに、第２スリーブ１５ｂに当接する第３スリーブ１５ｃがコレットチャックＣＫの方向に移動し、第３スリーブ１５ｃによってコレットチャックＣＫが閉じる。
【００２２】
一方、作動カム１１がアクチュエータによってコレットチャックＣＫの方向に移動することによって、主軸Ｓとレバー１３との間から作動カム１１が外れ、スプリング１６の作用で第１乃至第３スリーブ１５ａ、１５ｂ、１５ｃがコレットチャックＣＫから離れる方向に移動してレバー１３が閉じ、コレットチャックＣＫが開く。
【００２３】
図２乃至図４（Ｂ）に示すように、本実施例のロックナット１００は、軸線方向である主軸方向Ｚに対向する２つのナットである第１ナット１１０および第２ナット１２０を有し、第１ナット１１０および第２ナット１２０を主軸方向Ｚに互いに付勢する付勢手段の一例である圧縮コイルばね１４０を第１ナット１１０と第２ナット１２０との間に介設した構成である。
【００２４】
第１ナット１１０は、主軸外周に形成された雄ネジ部Ｂと螺合する雌ネジ部１１１と、頭付ネジ１３０が螺合するネジ穴部１１２と、第１ナット１１０の周面に形成されてロックナット用工具Ｔの係合部Ｔ１と係合する係合溝としての工具係合切欠き部１１３とを有している。
第２ナット１２０は、雄ネジ部Ｂと螺合する雌ネジ部１２１と、雌ネジ部１２１より外周側で主軸方向Ｚに貫通して形成された貫通穴部１２２と、第２ナット１２０の周面に形成されてロックナット用工具Ｔの係合部Ｔ１と係合する係合溝としての工具係合切欠き部１２３とを有している。
【００２５】
このうち、貫通穴部１２２は、周方向で均等に３箇所配設され、第１ナット１１０側に設置された小径部分１２２ａと、第１ナット１１０と反対側に設置されて小径部分１２２ａと連通する大径部分１２２ｂとを有している。
この各大径部分１２２ｂには、圧縮コイルばね１４０が主軸方向Ｚに収縮自在に設置されている。
なお、圧縮コイルばね１４０が、周方向で均等に３箇所配設されるため、付勢力が周方向で均等に作用する。
【００２６】
そして、杆状部材である頭付ネジ１３０の先端側が、大径部分１２２ｂから、圧縮コイルばね１４０および小径部分１２２ａに移動自在に挿通されて第１ナット１１０のネジ穴部１１２に螺着されている。
頭付ネジ１３０のネジ頭部１３１が、ストッパとして、圧縮コイルばね１４０の一端側と当接し、小径部分１２２ａと大径部分１２２ｂとの段差部分１２２ｃが、圧縮コイルばね１４０の他端側と当接する。
第１ナット１１０と第２ナット１２０は、圧縮コイルばね１４０を付勢手段として、互いに相対的に接近する方向に付勢され、頭付ネジ１３０を規制手段として、主軸方向Ｚへの移動が許容されるとともに、相対的な回動が規制されて一体的に連結されている。
【００２７】
なお、第１ナット１１０と第２ナット１２０の相対的な回動を規制する規制手段として、頭付ネジ１３０の他に固定ピンを設置してもよい。
たとえば、第１ナット１１０および第２ナット１２０の互いに対向する面にピン孔をそれぞれ設けて、固定ピンの一端が、第１ナット１１０のピン孔に嵌合し、固定ピンの他端が、第２ナット１２０のピン孔に摺動自在に嵌合するようにして、主軸方向Ｚへの移動が許容されるとともに、相対的な回動を規制するように構成してもよい。
【００２８】
第１ナット１１０がレバーホルダ１２と当接するように、ロックナット１００が主軸Ｓに螺合装着されると、第２ナット１２０は、レバーホルダ１２と当接せず、図４（Ａ）に示すように、第１ナット１１０の雌ネジ部１１１が雄ネジ部Ｂの主軸方向一方側である主軸方向前側に面した一方側フランク面である前向きフランク面Ｂ１と当接するとともに、第２ナット１２０の雌ネジ部１２１が雄ネジ部Ｂの主軸方向他方側である主軸方向後側に面した他方側フランク面である後向きフランク面Ｂ２と当接して所謂、くさび効果が生じて第１ナット１１０および第２ナット１２０が主軸外周で固定されたロック状態となる。
【００２９】
そして、圧縮コイルばね１４０の付勢力に抗して第１ナット１１０と第２ナット１２０との少なくとも一方を相対的に主軸方向Ｚで離間する側に移動させて第１ナット１１０と第２ナット１２０との間の距離を変えるとくさび効果が解除されて第１ナット１１０および第２ナット１２０が主軸外周で回動自在なロック解除状態となる。
ロック解除状態に切り替える際、例えば、ロックナット用工具Ｔを用いてもよい。
【００３０】
ロックナット用工具Ｔは、第１ナット１１０の工具係合切欠き部１１３および第２ナット１２０の工具係合切欠き部１２３と係合する二股状の突起形状の係合部Ｔ１と、ユーザーまたは工作機械の操作手段によって把持される柄部Ｔ２とを有している。
係合部Ｔ１は、第１ナット１１０および第２ナット１２０の反付勢方向への移動によって工具係合切欠き部１１３および工具係合切欠き部１２３に嵌るサイズに形成されている。
そして、主軸方向Ｚと直交する直交方向で係合部Ｔ１が第１ナット１１０の工具係合切欠き部１１３および第２ナット１２０の工具係合切欠き部１２３に接近した際、係合部Ｔ１の前記直交方向に対して傾斜した傾斜面Ｔ１ａが、第１ナット１１０の工具係合切欠き部１１３の主軸方向直交面１１３ａおよび第２ナット１２０の工具係合切欠き部１２３の主軸方向直交面１２３ａと当接し、圧縮コイルばね１４０の付勢力に抗して第１ナット１１０と第２ナット１２０との少なくとも一方を相対的に主軸方向Ｚで離間する側に移動させてロック解除状態となる。
【００３１】
このとき、第１ナット１１０の一対の工具係合切欠き部１１３および第２ナット１２０の一対の工具係合切欠き部１２３は、ロックナット用工具Ｔの二股形状の係合部Ｔ１によって把持されて、第１ナット１１０および第２ナット１２０が主軸外周の雄ネジ部Ｂに対して回動可能になる。
ロック解除状態で、主軸Ｓを回転させずにロックナット用工具Ｔを主軸方向Ｚに対する周方向に回転させる、または、ロックナット用工具Ｔを回転させずに主軸Ｓを回転させると、第１ナット１１０および第２ナット１２０が、主軸外周の雄ネジ部Ｂのねじ溝に沿って主軸方向Ｚへ移動する。
その結果、主軸方向Ｚにおけるレバーホルダ１２の位置が調整されて、コレットチャックＣＫの開閉具合が調整される。
【００３２】
ロックナット用工具Ｔの係合部Ｔ１を第１ナット１１０の工具係合切欠き部１１３および第２ナット１２０の工具係合切欠き部１２３から離間させると、圧縮コイルばね１４０の付勢力により、第１ナット１１０の雌ネジ部１１１が雄ネジ部Ｂの前向きフランク面Ｂ１と当接するとともに、第２ナット１２０の雌ネジ部１２１が雄ネジ部Ｂの後向きフランク面Ｂ２と当接してくさび効果が生じて再びロック状態となり、コレットチャックＣＫの開閉具合を維持することができる。
【００３３】
本実施例では、圧縮コイルばね１４０が、第１ナット１１０と第２ナット１２０とを相対的に接近させる方向へ付勢する構成であることにより、ロック状態のときに、第１ナット１１０が主軸チャック開閉機構１０から外力を受けた場合であっても、第１ナット１１０の雌ネジ部１１１が前向きフランク面Ｂ１と当接したままであるため、くさび効果が生じたままでロック状態が維持される。
【００３４】
このようにして得られた本発明の第１実施例であるロックナット１００は、第１ナット１１０および第２ナット１２０が螺合される軸の外周で固定されたロック状態と、第１ナット１１０および第２ナット１２０が前記軸外周で回動自在なロック解除状態とを切り換え自在で、例えば主軸Ｓに螺合させることによって、第１ナット１１０および第２ナット１２０を主軸外周で回動自在にさせて主軸チャック開閉機構１０を調整することができる。
【００３５】
さらに、圧縮コイルばね１４０が、第１ナット１１０と第２ナット１２０とを相対的に接近させる方向へ付勢する構成であることにより、ロックナット１００側に外力が加えられた場合であっても第１ナット１１０および第２ナット１２０の位置を保持してロック状態が維持され、容易にロック状態が解除されることが防止される。
【００３６】
さらに、ロックナット用工具Ｔは、ロックナット１００に係合する係合部Ｔ１を有し、係合部Ｔ１が、ロックナット１００との係合によって、圧縮コイルばね１４０の付勢力に抗して第１ナット１１０および第２ナット１２０を軸線方向に相対的に移動させる構成であることにより、容易にロック状態とロック解除状態とを切り換えることができ、ロックナット１００を、例えば主軸Ｓに螺合させることによって、ロック解除状態のときに第１ナット１１０および第２ナット１２０を一体的に主軸Ｓに対して主軸外周で回動自在にさせて主軸チャック開閉機構１０を調整することができる。
【実施例２】
【００３７】
続いて、本発明の第２実施例であるロックナット２００について、図５乃至図７（Ｂ）に基づいて説明する。
第２実施例のロックナット２００は、第１実施例のロックナット１００の第１ナット１１０と第２ナット１２０とに対する圧縮コイルばね１４０の付勢方向を逆の構成にしたものであり、多くの要素について第１実施例のロックナット１００と共通するので、共通する事項については詳しい説明を省略し、下２桁が共通する２００番台の符号を付すのみとする。
【００３８】
図５乃至図７（Ｂ）に示すように、第２実施例では、第１ナット２１０は、雌ネジ部２１１と、ネジ穴部２１２と、外周に突出したフランジ部２１４と、第２ナット２２０と対向するコイルばね収容凹部２１５とを有している。
第２ナット２２０は、雌ネジ部２２１と、貫通穴部２２２と、外周に突出したフランジ部２２４と、第１ナット２１０と対向するコイルばね収容凹部２２５とを有している。
【００３９】
規制手段としての頭付ネジ２３０は、第２ナット２２０の貫通穴部２２２の小径部分２２２ａおよび大径部分２２２ｂに挿通され、第１ナット２１０のネジ穴部２１２に螺合されている。
頭付ネジ２３０のネジ頭部２３１の径が、貫通穴部２２２の小径部分２２２ａの径より大きく形成され、小径部分２２２ａと大径部分２２２ｂとの段差である段差部分２２２ｃとネジ頭部２３１とが当接することにより、第２ナット２２０が抜け止めされる。
【００４０】
第１ナット２１０のコイルばね収容凹部２１５には、付勢手段としての圧縮コイルばね２４０の一端側が収容され、第２ナット２２０のコイルばね収容凹部２２５には、圧縮コイルばね２４０の他端側が収容され、圧縮コイルばね２４０が、主軸方向Ｚで圧縮された状態で収容されている。
なお、圧縮コイルばね２４０は、周方向で均等に３箇所配設され、頭付ネジ２３０も同様に、周方向で均等に３箇所配設されている。
【００４１】
本実施例では、頭付ネジ２３０のネジ頭部２３１が、貫通穴部２２２の段差部分２２２ｃから離間した状態で、圧縮コイルばね２４０が、第１ナット２１０と第２ナット２２０とを相対的に離間させる方向へ付勢している。
これにより、図７（Ａ）に示すように、第１ナット２１０の雌ネジ部２１１が雄ネジ部Ｂの主軸方向一方側である主軸方向後側に面した一方側フランク面である後向きフランク面Ｂ２と当接するとともに、第２ナット２２０の雌ネジ部２２１が雄ネジ部Ｂの主軸方向他方側である主軸方向前側に面した他方側フランク面である前向きフランク面Ｂ１と当接して所謂、くさび効果が生じて第１ナット２１０および第２ナット２２０が主軸外周で固定されたロック状態となる。
【００４２】
そして、圧縮コイルばね２４０の付勢力に抗して第１ナット２１０と第２ナット２２０とを相対的に主軸方向Ｚで接近する側に移動させて第１ナット２１０と第２ナット２２０との間の距離を変えるとくさび効果が解除されて第１ナット２１０および第２ナット２２０が主軸外周で回動自在なロック解除状態となる。
【００４３】
ロック解除状態に切り替える際、例えば、図５に示すロックナット用工具Ｔを用いてもよい。
主軸方向Ｚと直交する直交方向で係合部Ｔ１が第１ナット２１０のフランジ部２１４および第２ナット２２０のフランジ部２２４に接近した際、係合部Ｔ１の前記直交方向に対して傾斜した傾斜面Ｔ１ａが、第１ナット２１０のフランジ部２１４の工具係合直線部分２１４ａの近傍の主軸方向直交面２１４ｂおよび第２ナット２２０のフランジ部２２４の工具係合直線部分２２４ａの近傍の主軸方向直交面２２４ｂと当接し、圧縮コイルばね２４０の付勢力に抗して第１ナット２１０と第２ナット２２０とを相対的に主軸方向Ｚで接近する側に移動させてロック解除状態となる。
このとき、第１ナット２１０の一対の工具係合直線部分２１４ａおよび第２ナット２２０の一対の工具係合直線部分２２４ａは、ロックナット用工具Ｔの二股形状の係合部Ｔ１によって把持されて、第１ナット２１０および第２ナット２２０が主軸外周の雄ネジ部Ｂに対して回動可能になる。
【００４４】
なお、圧縮コイルばね２４０の付勢力の大きさを、想定する主軸チャック開閉機構１０から外力の大きさより大きく設定することにより、ロック状態のときに、第１ナット２１０が主軸チャック開閉機構１０から外力を受けた場合であっても、第１ナット２１０の雌ネジ部２１１が後向きフランク面Ｂ２と当接したままであるため、くさび効果が生じたままでロック状態を維持することができる。
【符号の説明】
【００４５】
１００、  ２００  ・・・  （主軸チャック開閉調整用）ロックナット
１１０、  ２１０  ・・・  第１ナット
１１１、  ２１１  ・・・  雌ネジ部
１１２、  ２１２  ・・・  ネジ穴部
１１３            ・・・  工具係合切欠き部
１１３ａ          ・・・  主軸方向直交面
２１４  ・・・  フランジ部
２１４ａ・・・  工具係合直線部分
２１４ｂ・・・  主軸方向直交面
２１５  ・・・  コイルばね収容凹部
１２０、  ２２０  ・・・  第２ナット
１２１、  ２２１  ・・・  雌ネジ部
１２２、  ２２２  ・・・  貫通穴部
１２２ａ、２２２ａ・・・  小径部分
１２２ｂ、２２２ｂ・・・  大径部分
１２２ｃ、２２２ｃ・・・  段差部分
１２３            ・・・  工具係合切欠き部
１２３ａ          ・・・  主軸方向直交面
２２４  ・・・  フランジ部
２２４ａ・・・  工具係合直線部分
２２４ｂ・・・  主軸方向直交面
２２５  ・・・  コイルばね収容凹部
１３０、  ２３０  ・・・  頭付ネジ（規制手段、杆状部材）
１３１、  ２３１  ・・・  ネジ頭部
１４０、  ２４０  ・・・  圧縮コイルばね（付勢手段）
Ｔ    ・・・  ロックナット用工具
Ｔ１  ・・・  係合部
Ｔ１ａ・・・  傾斜面
Ｔ２  ・・・  柄部
Ｂ    ・・・  主軸外周の雄ネジ部
Ｂ１  ・・・  （主軸方向前側に面した）前向きフランク面
Ｂ２  ・・・  （主軸方向後側に面した）後向きフランク面
１０  ・・・  主軸チャック開閉機構
ＣＫ  ・・・  （主軸の）コレットチャック
Ｚ    ・・・  主軸方向
【図１】
2017026069.tif 000003
【図２】
2017026069.tif 000004
【図３】
2017026069.tif 000005
【図４】
2017026069.tif 000006
【図５】
2017026069.tif 000007
【図６】
2017026069.tif 000008
【図７】
2017026069.tif 000009